(57)【要約】【課題】ケージから容易にリリースできると共に、光ファイバコネクタを容易にリリースできるリリース機構付きパッケージを提供する。【解決手段】光ファイバコネクタ２を挿抜するためのソケット口３を有し、ケージ５内に挿抜自在に挿入されると共に締結解除可能にロックされるパッケージ本体４と、ソケット口３の縁に設けられ光ファイバコネクタ２のコネクタ本体部１３から挿抜方向と交差する方向に突起するラッチ部８を抜き方向の移動を規制するように係止するラッチ止め部９と、パッケージ本体４に挿抜方向スライド可能に設けられスライドに伴ってラッチ部８をコネクタ本体部１３側に押し込むコネクタリリース用のテーパ部２６を有するリリース部材１０とを備えたものである。【選択図】        図１
2004258094.tif 000002
【特許請求の範囲】
【請求項１】
光ファイバコネクタを挿抜するためのソケット口を有し、ケージ内に挿抜自在に挿入されると共に締結解除可能にロックされるパッケージ本体と、上記ソケット口の縁に設けられ上記光ファイバコネクタのコネクタ本体部から挿抜方向と交差する方向に突起するラッチ部を抜き方向の移動を規制するように係止するラッチ止め部と、上記パッケージ本体に挿抜方向スライド可能に設けられスライドに伴って上記ラッチ部を上記コネクタ本体部側に押し込むコネクタリリース用のテーパ部を有するリリース部材とを備えたことを特徴とするリリース機構付きパッケージ。
【請求項２】
上記パッケージ本体には、上記ケージの挿入口近傍で開口する係合穴に挿入されるロック部が設けられ、上記リリース部材は、上記ケージの挿入口に内接して上記係合穴を上記パッケージ本体から押し離すケージリリース用のテーパ部を有する請求項１記載のリリース機構付きパッケージ。
【請求項３】
上記リリース部材が上記ラッチ部又は上記ケージのいずれかに当接するリリース位置に近接されたとき、上記リリース部材を退行方向に弾発付勢する戻し機構を備えた請求項２記載のリリース機構付きパッケージ。
【請求項４】
上記リリース部材は、一方方向にスライドされたとき上記コネクタリリース用のテーパ部を上記ラッチ部に当て、かつ、他方方向にスライドされたとき上記ケージリリース用のテーパ部を上記ケージに当てるようにテーパ部同士を反対向きに形成された請求項２又は３記載のリリース機構付きパッケージ。
【請求項５】
上記パッケージ本体に上記ケージへ向けて出没可能に設けられ上記ケージ側に突出したときにケージにロックされると共に上記パッケージ本体内に没入したときに上記ロックを解除されるロック部と、上記リリース部材に形成されリリース部材がスライドしたときに上記ロック部を出没させるように案内する伝動部とを備えた請求項１記載のリリース機構付きパッケージ。
【請求項６】
上記リリース部材は、上記パッケージ本体の外周にパッケージ本体を弾発的に囲うように取り付けられた請求項１〜５いずれかに記載のリリース機構付きパッケージ。
【発明の詳細な説明】
【０００１】
【発明の属する技術分野】
本発明は、光送受信モジュールなどの光通信用パッケージに係り、ケージに対して交換可能に取り付けられる光通信用のリリース機構付きパッケージに関するものである。
【０００２】
【従来の技術】
長距離高速光通信などに使用する光送受信モジュールは、送信用光素子と受信用光素子とを１つのパッケージに収容したものである。また、光送受信モジュールは、光信号や電気信号の変調、増幅、補償或いは安定化のための電気素子をも上記パッケージに収容している。この光送受信モジュールと外部伝送路としての光ファイバとを接続するために、光素子に通じる開口部をパッケージに形成し、この開口部に光ファイバの端末に取り付けられている光ファイバコネクタを挿入するようにした、いわゆるリセプタクルタイプの光送受信モジュールがある。
【０００３】
多数の光ファイバを集中配線する通信機器では、多数の光送受信モジュールの開口部をパネルに整列配置することで、任意の開口部に任意の光ファイバコネクタを挿入できるように配慮してある。パネルにおける光送受信モジュール開口部の配置をより集約すると共に通信機器内部の配線を簡素にするため、基板の端部に光送受信モジュールを整列配置し、各々の開口部がパネルの各窓から露出するよう、上記基板を通信機器内に設置するのが望ましい。
【０００４】
一方、光送受信モジュール内の光学素子や電気素子に不具合が生じたときや、通信仕様（光波長や変調方式など）を相手と整合させたいときなど、光送受信モジュールをアセンブリ交換して対応したい場合がある。このため、基板上には光送受信モジュールのパッケージを機械的に保持するためのケージが設けられ、ケージを介して基板に光送受信モジュールを着脱できるようになっている。
【０００５】
図１４に示すように、ケージ５は、一端（前端）を開放された前後に長い箱型に形成されており、前端からパッケージ４０を挿抜できるようになっている。電気的には、パッケージ４０の後端に接続端子群（図示せず）を形成し、基板（図示せず）上にはその相手方となる接続端子群（図示せず）を配置しておくことで、パッケージ４０をケージ５に挿入したとき、接続が図られるようになっている。これにより、パネルの窓からパッケージ４０を挿抜することができ、通信機器を分解することなく光送受信モジュールを交換できるようになっている。
【０００６】
図１５に示すように、ケージ５とパッケージ４０には、互いに係止しあうための雌雄ロック機構６，７がそれぞれ設けられている。雌側ロック機構６は、ケージ５の底面１６の前端部に前後に延びる２本の切り込みを形成し、これら切り込みの間に形成された板バネ１８と、板バネ１８に三角形に開口するように形成された係合穴２０とからなる。板バネ１８の前端には若干の反り２１が形成されている。雄側ロック機構７は、係合穴２０に嵌め込むための突起（ロック部）２２をパッケージ４０の底面に設けてなるものである。
【０００７】
また、パッケージ４０には、通信機器のパネル外からアクセスしてロックを解除するためのリリース機構４１が設けられている。リリース機構４１は、パッケージ４０の前部に板バネ１８を押し下げるためのスライドブロック４２を前後方向にスライド可能に設けてなるものである。スライドブロック４２は、後端に板バネ１８を押し下げるためのテーパ面４３を有する。スライドブロック４２は、後方へスライドすることでテーパ面４３で板バネ１８を押し退け、係合穴２０を雄側ロック機構７たる突起２２から抜くようになっている。
【０００８】
なお、ケージ５の形状（寸法や係合穴２０の位置）は、各メーカ共通の規格により規定されている。
【０００９】
【特許文献１】
米国特許第６４３９９１８Ｂ１号明細書（第３Ｂ図、第４図）
【特許文献２】
特開平５−２６６９４６号公報
【特許文献３】
特許第３２６４０１６号公報
【００１０】
【発明が解決しようとする課題】
ところで、パネルにおける開口部の配置を集約するために、開口部は上下多段に配置するのが望ましく、また、その上下間隔はできるだけ短縮するのが望ましい。しかしながら、従来のパッケージ４０では、上下間隔を小さくするには限界があった。図１４及び図１５に示すように、上下のパッケージ間隔を小さくすると、上段のパッケージ４０のスライドブロック４２と下段のパッケージ４０との隙間が小さくなる。指先でスライドブロック４２をロック解除の位置まで押し込むのは困難である。また、パッケージ４０を前方に引き抜くには、パッケージ本体４４の頭部４５を上下又は左右から指で挟んで行うしかないが、これもまた、配置の上下間隔や左右間隔が狭くなると困難になってくる。この問題は光ファイバコネクタ４６のリリース作業においても同様であり、集約配置に伴って光ファイバコネクタ４６のリリース作業も困難となる。
【００１１】
そこで、本発明の目的は、上記課題を解決し、光ファイバコネクタを容易にリリースでき、ケージから容易にリリースできるリリース機構付きパッケージを提供することにある。さらに本発明は、リリースを確実にでき、誤ったリリースを防げ、製造コストを抑えることを目的とする。
【００１２】
【課題を解決するための手段】
上記目的を達成するために本発明は、光ファイバコネクタを挿抜するためのソケット口を有し、ケージ内に挿抜自在に挿入されると共に締結解除可能にロックされるパッケージ本体と、上記ソケット口の縁に設けられ上記光ファイバコネクタのコネクタ本体部から挿抜方向と交差する方向に突起するラッチ部を抜き方向の移動を規制するように係止するラッチ止め部と、上記パッケージ本体に挿抜方向スライド可能に設けられスライドに伴って上記ラッチ部を上記コネクタ本体部側に押し込むコネクタリリース用のテーパ部を有するリリース部材とを備えたものである。リリース部材をスライドさせるだけでパッケージから光ファイバコネクタを容易にリリースできる。
【００１３】
そして、上記パッケージ本体には、上記ケージの挿入口近傍で開口する係合穴に挿入されるロック部が設けられ、上記リリース部材は、上記ケージの挿入口に内接して上記係合穴を上記パッケージ本体から押し離すケージリリース用のテーパ部を有するものとするとよい。
【００１４】
また、上記リリース部材が上記ラッチ部又は上記ケージのいずれかに当接するリリース位置に近接されたとき、上記リリース部材を退行方向に弾発付勢する戻し機構を備えるとよい。
【００１５】
そして、上記リリース部材は、一方方向にスライドされたとき上記コネクタリリース用のテーパ部を上記ラッチ部に当て、かつ、他方方向にスライドされたとき上記ケージリリース用のテーパ部を上記ケージに当てるようにテーパ部同士を反対向きに形成されるとよい。
【００１６】
また、上記パッケージ本体に上記ケージへ向けて出没可能に設けられ上記ケージ側に突出したときにケージにロックされると共に上記パッケージ本体内に没入したときに上記ロックを解除されるロック部と、上記リリース部材に形成されリリース部材がスライドしたときに上記ロック部を出没させるように案内する伝動部とを備えてもよい。
【００１７】
そして、上記リリース部材は、上記パッケージ本体の外周にパッケージ本体を弾発的に囲うように取り付けられるとよい。
【００１８】
【発明の実施の形態】
本発明の好適実施の形態を添付図面に基づいて詳述する。
【００１９】
図１はケージにリリース機構付きパッケージを装着すると共にリリース機構付きパッケージに光ファイバコネクタを接続した状態の側面図であり、図５は同パッケージの側断面図である。図２はリリース機構付きパッケージの正面図であり、図３は同パッケージの要部平面図であり、図４は同パッケージの底面図である。
【００２０】
図１、図２、図４及び図５に示すように、リリース機構付きパッケージ１は、光ファイバコネクタ２を挿抜するためのソケット口３を有し、ケージ５内に挿抜自在に挿入されると共に締結解除可能にロックされるパッケージ本体４と、パッケージ本体４に設けられケージ５の雌側ロック機構６にロックされる雄側ロック機構７と、ソケット口３に設けられ光ファイバコネクタ２のラッチ部８をロックするためのラッチ止め部９と、パッケージ本体４に挿抜方向スライド可能に設けられケージ５とパッケージ本体４のロックを解除すると共にパッケージ本体４と光ファイバコネクタ２のロックを解除するためのリリース部材１０とを備えて構成されている。
【００２１】
パッケージ本体４は、挿抜方向（前後方向）に長い略直方体状に形成されケージ５内に収容される胴部１１と、胴部１１の前側に一体に形成されケージ５外に露出される頭部１２とからなる。
【００２２】
ケージ５は、一端（前端）を開放された前後に長い箱型に形成されており、前端からパッケージ１を挿抜できるようになっている。電気的には、基板（図示せず）側に接続される接続端子群（図示せず）を有し、パッケージ１をケージ５に挿入することでパッケージ１と基板との接続が図られるようになっている。
【００２３】
頭部１２は、上下左右の外形寸法をケージ５と略同じに形成されており、前方へ向けて開口する左右一対のソケット口３を有する。ソケット口３の一方は、送信側の光ファイバコネクタ２を接続するためのものであり、他方は受信側の光ファイバコネクタ２を接続するためのものである。
【００２４】
光ファイバコネクタ２は、周知のものであり、光ファイバの先端に設けられたコネクタ本体部１３と、コネクタ本体部１３に一体に形成されコネクタ本体部１３から挿抜方向と交差する方向に突起するラッチ部８とからなる。具体的にはラッチ部８は、コネクタ本体部１３の接続端側から上方に突起しつつ他端側に延びる俯仰可能なレバー状に形成されており、後述するラッチ止め部９に掛けるべく幅方向両側に突起する爪１４を有する。
【００２５】
そして、ソケット口３の上縁両側には、ラッチ部８を抜き方向の移動を規制するように係止するラッチ止め部９が設けられている。ラッチ止め部９は、ソケット口３の上縁両側の肉を内側に張り出して形成されている。
【００２６】
また、頭部１２の上側には、光ファイバコネクタ２装着時にラッチ部８を上方に突出させるためのラッチ用スリット１５がそれぞれのソケット口３に対応して形成されている。ラッチ用スリット１５は、それぞれ頭部１２の前端から後方へ向けて延び、ソケット口３内に貫通されるように形成されており、前端両側にラッチ止め部９を位置させるようになっている。
【００２７】
図１及び図４に示すように、雌側ロック機構６は、ケージ５の底面１６に前端から後方に延びる２本の切り込み１７を形成し、これら切り込み１７の間に形成された板バネ１８と、板バネ１８に三角形に開口するように形成されケージ５の挿入口１９近傍で開口する係合穴２０とからなる。板バネ１８の前端には若干の反り２１が形成されている。
【００２８】
雄側ロック機構７は、胴部１１に挿抜方向と交差（直交）する方向に延びるように形成されケージ５の係合穴２０に挿入されるロック部２２からなる。具体的には、ロック部２２は、胴部１１の底面２３から下方に延びるように形成された突起からなり、係合穴２０の形状にマッチするように三角柱状に形成されている。
【００２９】
図１、図２、図３及び図４に示すように、リリース部材１０は、パッケージ本体４の頭部１２の外周に頭部１２を弾発的に囲うように取り付けられている。具体的には、リリース部材１０は、頭部１２の上端を形成する頂部ガイド２４に沿って摺動される上部スライド部２５と、上部スライド部２５の両側にそれぞれ設けられ光ファイバコネクタ２のラッチ部８をコネクタ本体部１３側に押し込むための第１テーパ部（コネクタリリース用のテーパ部）２６と、それぞれの第１テーパ部２６に設けられ頭部１２の側面に沿って下方に延びる側部スライド部２７と、それぞれの側部スライド部２７に設けられ頭部１２の下端を形成する底部ガイド２８に沿って幅方向中央に向けて延びる底部スライド部２９と、底部スライド部２９に設けられケージ５の挿入口１９に内接して係合穴２０をパッケージ本体４から押し離すための第２テーパ部（ケージリリース用のテーパ部）３０とからなり、金属等の弾性を有する材料を屈曲形成して構成されている。
【００３０】
頂部ガイド２４は、頭部１２の幅方向中央に上方に突出する段部を形成してなるものであり、上端に前後方向に延びるスライド面３１を有する。そして頂部ガイド２４は、スライド面３１で上部スライド部２５を案内することにより、リリース部材１０がパッケージ本体４を上下に強く挟みながら移動する際のバランスを保つ役割をするようになっている。上部スライド部２５は、前後に長い平板状に形成されており、頂部ガイド２４のスライド面３１上に重ね合わされるようになっている。
【００３１】
第１テーパ部２６は、それぞれラッチ用スリット１５内に挿入されるように下方へ延びて形成されている。また、第１テーパ部２６は、前端面をコネクタ本体部１３側（下側）へ向けるように傾斜される第１テーパ面３２を有し、前方へ移動されることでラッチ部８をコネクタ本体部１３側へ押すようになっている。
【００３２】
側部スライド部２７は、それぞれ下端を前方へ偏位させるように傾斜されており、底部スライド部２９を上部スライド部２５の前方に位置させるようになっている。
【００３３】
第２テーパ部３０は、それぞれの底部スライド部２９から上方へ延びて形成されており、上端をパッケージ本体４の底面２３に形成されたガイド溝３３内に挿入されてスライド方向に案内されるようになっている。そして、リリース部材１０は、頭部１２を上部スライド部２５と第２テーパ部３０とで上下から弾発的に挟むことで頭部１２に前後スライド可能に取り付けられるようになっている。第２テーパ部３０は、後端を上部スライド部２５よりも後方に位置させるように前後に長く形成されており、安定してスライドできるようになっている。また、第２テーパ部３０は、後端面をケージ５側（下側）へ向けるように傾斜される第２テーパ面３４を有し、後方へ移動されることでケージ５の板バネ１８を外側（下方）へ押すようになっている。
【００３４】
図５に示すように、ガイド溝３３は、パッケージ本体４の前端近傍からロック部２２の位置まで前後に延びて形成されており、板バネ１８を押し曲げすぎないようになっている。
【００３５】
底部ガイド２８は、頭部１２の下部両側に下方に突出する段部を形成してなるものであり、下端に前後方向に延びるスライド面３５を有すると共にスライド面３５の前後両端に接続され下方へ湾曲される湾曲面３６を有する。湾曲面３６は、底部スライド部２９の移動を規制するストッパとして機能すると共に、リリース部材１０がラッチ部８又はケージ５のいずれかに当接されるリリース位置に近接されたとき、リリース部材１０を退行方向に弾発付勢する戻し機構を構成している。すなわち、湾曲面３６は、リリース部材１０の底部スライド部２９が当たったときに底部スライド部２９を傾動させるように案内し、リリース部材１０を捻って弾性変形させ、リリース部材１０をその張力で退行方向に弾発付勢するようになっている。
【００３６】
次に本実施の形態の作用を述べる。
【００３７】
図５に示すように、ケージ５にパッケージ１を装着固定すると共にパッケージ１に光ファイバコネクタ２を挿入接続した状態から光ファイバコネクタ２をリリースする場合、リリース部材１０の第１テーパ部２６又は第２テーパ部３０を掴み、前方に引く。このとき、リリース部材１０は上部スライド部２５と第２テーパ部３０とで頭部１２を上下から弾発的に挟んでおり、かつ、第２テーパ部３０は、上部スライド部２５の前後に延びるように十分長く形成されているため、ガイド溝３３に沿ってスムースにスライドする。
【００３８】
図６に示すように、リリース部材１０は、第１テーパ部２６の第１テーパ面３２を光ファイバコネクタ２のラッチ部８に当て、ラッチ部８をコネクタ本体部１３側に押し込む。ラッチ部８の爪１４は、頭部１２のラッチ止め部９の下側に回り込み、ラッチ部８のロックは解除される。ラッチ部８を押し込むとき、リリース部材１０には比較的大きな負荷がかかり、第１テーパ部２６を後方へ押し戻そうとするモーメントが発生するが、傾斜面でラッチ部８を案内して押し込むようにしたため負荷に対しては十分な強度と弾性を容易に得ることができ、第２テーパ部３０を前方へ延長させているためモーメントに対しては第２テーパ部３０の前部をパッケージ本体４に押し付けて支えることができ、ラッチ部８をスムースに押し込むことができる。光ファイバコネクタ２は前方に引くだけで容易にパッケージ１から取り外すことができる。
【００３９】
そして、リリース部材１０は、底部スライド部２９を底部ガイド２８の湾曲面３６に当て、弾性変形されながら移動を規制されるため、頭部１２から外れることはなく、手を離されると自身の張力で後方へ戻る。
【００４０】
また、ケージ５からパッケージ１をリリースする場合、上述と同様に第１テーパ部２６又は第２テーパ部３０を掴み、後方へ押し込む。図７に示すように、第２テーパ部３０は、ガイド溝３３内を移動し、パッケージ本体４と板バネ１８との間に滑り込み、板バネ１８をパッケージ本体４から離間させるように押し退ける。これにより、係合穴２０の前端側がロック部２２から外れ、雌雄ロック機構６，７のロックが解除される。パッケージ本体４を引くことでケージ５からパッケージ１を容易に取り外すことができる。
【００４１】
そして、リリース部材１０は上述と同様に底部スライド部２９を底部ガイド２８の湾曲面３６に当てているため、頭部１２から外れることはなく、手を離すことで後方へ戻る。
【００４２】
このように、パッケージ本体４に挿抜方向スライド可能に設けられスライドに伴ってラッチ部８をコネクタ本体部１３側に押し込む第１テーパ部２６を有するリリース部材１０を備えるパッケージ１としたため、パッケージ１から光ファイバコネクタ２を確実かつ容易にリリースできる。
【００４３】
そして、リリース部材１０は、ケージ５の挿入口１９に内接して係合穴２０をパッケージ本体４から押し離す第２テーパ部３０を有するものとしたため、ケージ５からパッケージ１を確実かつ容易にリリースできる。特に１つのリリース部材１０に光ファイバコネクタ２のリリース機能とパッケージ１のリリース機能とを併せ持たせたため、操作部分を簡潔にして操作を容易にできると共に部品点数を抑えることができ、安価に製造できる。
【００４４】
そして、リリース部材１０がラッチ部８又はケージ５のいずれかに当接されるリリース位置に近接されたとき、リリース部材１０を退行方向に弾発付勢する戻し機構を備えてパッケージ１を構成したため、振動等により誤って光ファイバコネクタ２やパッケージ１をリリースするのを防ぐことができる。
【００４５】
また、リリース部材１０は、前方にスライドされたとき第１テーパ部２６をラッチ部８に当て、かつ、後方にスライドされたとき第２テーパ部３０をケージ５に当てるようにテーパ部２６，３０同士を反対向きに形成されたため、光ファイバコネクタ２又はパッケージ１のいずれか一方をリリースするときに誤って他方をリリースしてしまったり両方をリリースしてしまうのを防ぐことができる。
【００４６】
そして、リリース部材１０は、パッケージ本体４の外周にパッケージ本体４を弾発的に囲うように取り付けられるものとしたため、簡易な構造にでき安価に製造でき、指を容易に掛けることができる。
【００４７】
なお、リリース部材１０は、前方に延びる操作用のつまみ（図示せず）を有するものとしてもよい。リリース部材１０の押し引きを更に簡単に行える。このとき、つまみは光ファイバコネクタ２に干渉しないようにリリース部材１０の一側又は両側から前方に延びるようにするとよい。
【００４８】
また、リリース部材１０は、頭部１２の外周を囲むように環状に形成してもよい。パッケージ本体４をさらに強く挟み込むことができ、上下の挟み込みのバランスを向上できる。そして、パッケージ本体４を挟み込む力が強くなることから、底部ガイド２８の湾曲面３６と接触したときの張力を強くでき、リリース部材（図示せず）がリリース位置に近接されたときにリリース部材を更に強力に戻すことができる。またさらに、リリース部材をパッケージ本体４から外れ難くできる。
【００４９】
他の実施の形態について述べる。
【００５０】
図８〜図１３に示すリリース機構付きパッケージ５０は、上述のリリース機構付きパッケージ１の雄側ロック機構７とリリース部材１０とに変更を加えたものである。同様の構成については説明を省き同符号を付す。
【００５１】
図８、図９及び図１０に示すように、雄側ロック機構５１は、パッケージ本体５２にケージ５へ向けて出没可能に設けられケージ５側に突出したときに係合穴２０に挿入されると共にパッケージ本体５２内に没入したときに係合穴２０から抜かれるロック部５３からなる。具体的にはロック部５３は、パッケージ本体５２に回動自在に設けられたレバー５４を介してパッケージ本体５２に出没可能に設けられており、レバー５４が揺動することでケージ５へ向けて出没するようになっている。
【００５２】
レバー５４は、頭部５５に一端を機幅方向に延びる軸（水平軸）５６回り回動自在に設けられており、他端を後側に位置させている。そしてロック部５３は、レバー５４の他端に外側へ突起するように設けられており、係合穴２０の形状にマッチするように三角柱状に形成されている。また、レバー５４は、両端に挟まれる中間をへの字に屈曲されており、屈曲部分の他端側を水平な姿勢にしたときにロック部５３をパッケージ本体５２から突出させるようになっている。
【００５３】
リリース部材５７は、パッケージ本体５２の頭部５５の外周に頭部５５を弾発的に囲うように取り付けられている。具体的には、リリース部材５７は、頂部ガイド２４に沿って摺動される上部スライド部２５と、上部スライド部２５の両側にそれぞれ設けられたテーパ部２６と、それぞれのテーパ部２６に設けられた側部スライド部２７と、それぞれの側部スライド部２７に設けられ底部ガイド５８に沿って幅方向中央に向けて延びる底部スライド部２９と、底部スライド部２９に設けられロック部５３を出没させるようにレバー５４を案内するための伝動部５９とからなり、金属等の弾性を有する材料からなる。
【００５４】
底部ガイド５８は、頭部５５の下部両側に下方に突出する段部を形成してなるものであり、下端に前後方向に延びるスライド面６０を有する。スライド面６０の前端には、下方へ湾曲される湾曲面３６が接続されている。湾曲面３６は、底部スライド部２９の移動を規制するストッパとして機能すると共に、リリース部材５７がラッチ部８に当接されるリリース位置に近接されたとき、リリース部材５７を退行方向に弾発付勢する戻し機構を構成している。また、スライド面６０の後端には、底部スライド部２９の移動を規制するための突起６１が設けられている。
【００５５】
伝動部５９は、レバー５４の真上に配置されて機幅方向に延びる上部バー６２と、レバー５４の真下に配置されて機幅方向に延びる下部バー６３とを有し、前後方向にスライドすることで上部バー６２または下部バー６３のいずれか一方をレバー５４に当ててレバー５４を回動させるようになっている。
【００５６】
次に本実施の形態の作用を述べる。
【００５７】
図１１に示すように、ケージ５内にロックされたパッケージ５０から光ファイバコネクタ２をリリースする場合、リリース部材５７を前方に引く。前述の実施の形態と同様にテーパ部２６はラッチ部８をコネクタ本体部１３側に押してラッチ止め部９から外し、図１２に示すようにラッチ部８のロックは解除される。このとき、伝動部５９はレバー５４の屈曲部分の後側を水平にスライドするため、レバー５４に干渉することはなくロック部５３はケージ５にロックされたままである。
【００５８】
そして、ケージ５からパッケージ５０をリリースする場合、リリース部材５７をさらに前方へ引く。図１３に示すように伝動部５９がレバー５４の屈曲部分を越えると下部バー６３が傾斜したレバー５４の下面に当たってレバー５４を押し上げ、ロック部５３をパッケージ本体５２内に没入させる。ロック部５３は係合穴２０から抜け出てケージ５とパッケージ５０のロックを解除する。このあと更にリリース部材５７を前方へ引くと、リリース部材５７の底部スライド部２９が底部ガイド５８の湾曲面３６に当たってスライドを規制され、リリース部材５７を引く力がパッケージ本体５２に伝わり、パッケージ５０をケージ５から引き抜くことができる。
【００５９】
ロック部５３を再びパッケージ５０から突出させるときにはリリース部材５７を後方へスライドさせる。上部バー６２がレバー５４の上面に当たってレバー５４を押し下げるため、ロック部５３をパッケージ５０から突出させることができる。
【００６０】
このように、パッケージ本体５２にケージ５へ向けて出没可能に設けられケージ５側に突出したときにケージ５にロックされると共にパッケージ本体５２内に没入したときにロックを解除されるロック部５３と、リリース部材５７に形成されリリース部材５７がスライドしたときにロック部５３を出没させるように案内する伝動部５９とを備えてパッケージ５０を構成したため、ケージ５からパッケージ５０を確実かつ容易にリリースできる。特に１つのリリース部材５７に光ファイバコネクタ２のリリース機能とパッケージ５０のリリース機能とを併せ持たせ、リリース部材５７を前方へ引くことで光ファイバコネクタ２のリリースとパッケージ５０のリリースとを行えるようにしたため、操作をさらに容易にできると共に部品点数を抑えることができる。
【００６１】
【発明の効果】
以上要するに本発明によれば、次のような優れた効果を奏する。
（１）リリース機構付きパッケージから光ファイバコネクタを容易にリリースできる。
（２）ケージからリリース機構付きパッケージを容易にリリースできる。
（３）安価に製造できる。
【図面の簡単な説明】
【図１】本発明の好適実施の形態を示すリリース機構付きパッケージの側面図である。
【図２】リリース機構付きパッケージの正面図である。
【図３】リリース機構付きパッケージの平面図である。
【図４】リリース機構付きパッケージの底面図である。
【図５】リリース機構付きパッケージの側断面図である。
【図６】光ファイバコネクタをリリースしている状態のリリース機構付きパッケージの側断面図である。
【図７】ケージからリリースされている状態のリリース機構付きパッケージの側断面図である。
【図８】他の実施の形態を示すリリース機構付きパッケージの側面図である。
【図９】他の実施の形態を示すリリース機構付きパッケージの正面図である。
【図１０】他の実施の形態を示すリリース機構付きパッケージの底面図である。
【図１１】他の実施の形態を示すリリース機構付きパッケージの側断面図である。
【図１２】他の実施の形態を示す光ファイバコネクタをリリースしている状態のリリース機構付きパッケージの側断面図である。
【図１３】他の実施の形態を示すケージからリリースされている状態のリリース機構付きパッケージの側断面図である。
【図１４】従来のパッケージの敷設状況を示す斜視図である。
【図１５】従来のパッケージの敷設状況を示す斜視図である。
【符号の説明】
１  リリース機構付きパッケージ
２  光ファイバコネクタ
３  ソケット口
４  パッケージ本体
５  ケージ
８  ラッチ部
９  ラッチ止め部
１０  リリース部材
１３  コネクタ本体部
１９  挿入口
２０  係合穴
２２  ロック部
２６  第１テーパ部（コネクタリリース用のテーパ部）
３０  第２テーパ部（ケージリリース用のテーパ部）
５０  パッケージ
５２  パッケージ本体
５３  ロック部
５７  リリース部材
５９  伝動部
【図１】
2004258094.tif 000003
【図２】
2004258094.tif 000004
【図３】
2004258094.tif 000005
【図４】
2004258094.tif 000006
【図５】
2004258094.tif 000007
【図６】
2004258094.tif 000008
【図７】
2004258094.tif 000009
【図８】
2004258094.tif 000010
【図９】
2004258094.tif 000011
【図１０】
2004258094.tif 000012
【図１１】
2004258094.tif 000013
【図１２】
2004258094.tif 000014
【図１３】
2004258094.tif 000015
【図１４】
2004258094.tif 000016
【図１５】
2004258094.tif 000017